【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
ＩＩＩ族窒化物材料系から形成された発光活性層と、
該ＩＩＩ族窒化物の活性層を支持するボンディング金属層と、
マウント基板であって、該マウント基板は、該ボンディング金属層が該発光活性層と該マウント基板との間にあるように該ボンディング金属層を支持し、該マウント基板は、該活性層によって放出された所定の周波数を有する光の実質的な量を反射する、ＩＩＩ族窒化物および該ボンディング金属層以外の材料を含む、マウント基板と
レンズと、
蛍光体と、
を備え、
前記マウント基板の材料は、該蛍光体によって放出された光の実質的な量を反射する、発光ダイオード。
【請求項２】
前記マウント基板の表面は、前記活性層によって放出された所定の周波数を有する光のうちの少なくとも５０パーセントを反射する、請求項１に記載の発光ダイオード。
【請求項３】
前記マウント基板は、シリコンが前記活性層によって放出された所定の周波数を有する光を反射するよりも多く、該活性層によって放出された所定の周波数を有する光を反射する、請求項１に記載の発光ダイオード。
【請求項４】
前記活性層は、前記ＩＩＩ族窒化物材料系からのエピタキシャル層を含んでいる、請求項１に記載の発光ダイオード。
【請求項５】
前記活性層は、ホモ接合、ヘテロ接合、単一量子井戸、多重量子井戸、および超格子構造のうちの少なくとも１つを形成する層を含んでいる、請求項１に記載の発光ダイオード。
【請求項６】
前記マウント基板は、酸化アルミニウム、窒化ホウ素、酸化マグネシウム、二酸化チタン、アルミニウム、およびポーセレンからなる群から選択されている、請求項１に記載の発光ダイオード。
【請求項７】
前記マウント基板は、絶縁性である、請求項１に記載の発光ダイオード。
【請求項８】
前記発光活性層のｐ型部分との第１のオーミック接触と、該発光活性層のｎ型部分との第２のオーミック接触とを含んでいる、請求項７に記載の発光ダイオード。
【請求項９】
前記マウント基板は、導電性である、請求項１に記載の発光ダイオード。
【請求項１０】
前記導電性基板との第１のオーミック接触と、前記活性層との第２のオーミック接触とを含んでいる、請求項９に記載の発光ダイオード。
【請求項１１】
前記マウント基板は、化学的に安定であり、少なくともシリコンと同程度の力学的強度があり、前記ボンディング金属層にボンディングし得る、請求項１に記載の発光ダイオード。
【請求項１２】
前記マウント基板は、少なくとも３００℃までの温度で、物理的および化学的に安定である、請求項１に記載の発光ダイオード。
【請求項１３】
前記活性層は、窒化ガリウム、窒化インジウムガリウム、窒化アルミニウムガリウム、およびそれらの組み合わせからなる群から選択されている材料を含んでいる、請求項１に記載の発光ダイオード。
【請求項１４】
前記ボンディング金属層は、金、スズ、プラチナ、およびニッケルを含んでいる、請求項１に記載の発光ダイオード。
【請求項１５】
前記マウント基板の材料は、３５０〜７００ナノメートルの間の周波数範囲における光の実質的な量を反射する、請求項１に記載の発光ダイオード。
【請求項１６】
前記マウント基板の反射性表面は、該マウント基板上の反射性コーティングを含んでおり、該マウント基板において、該コーティングは、前記活性層によって放出された所定の周波数を有する光の実質的な量を反射する、請求項１に記載の発光ダイオード。
【請求項１７】
前記反射性コーティングは、酸化アルミニウム、窒化ホウ素、酸化マグネシウム、二酸化チタン、アルミニウム、およびポーセレンからなる群から選択されている、請求項１６に記載の発光ダイオード。
【請求項１８】
前記マウント基板の反射性表面は、前記マウント基板上の反射性コーティングを含んでおり、該マウント基板において、該コーティングは、前記活性層によって放出された所定の周波数を有する光の実質的な量と、前記蛍光体によって放出された所定の周波数を有する光の実質的な量とを反射する、請求項１に記載の発光ダイオード。
【請求項１９】
前記コーティングは、酸化アルミニウム、窒化ホウ素、酸化マグネシウム、二酸化チタン、アルミニウム、その他の金属、ポーセレン、およびその他のセラミックからなる群から選択されている、請求項１８に記載の発光ダイオード。
【請求項２０】
発光ダイオードを形成する方法であって、該方法は、
成長基板上にＩＩＩ族窒化物材料系から発光活性層を形成するステップと、
ボンディング金属層を用いることにより、該ＩＩＩ族窒化物の活性層を搭載ウエハにボンディングするステップであって、該搭載ウエハは、該活性層によって放出された所定の周波数を有する光の実質的な量を反射する、該ボンディング金属層以外の材料を含み、該ボンディング金属層は、該発光活性層と該搭載ウエハとの間に形成されるステップと、
該ＩＩＩ族窒化物の活性エピタキシャル層から該成長基板を除去するステップと、
該ＩＩＩ族窒化物の活性層のｐ型部分およびｎ型部分のそれぞれにオーミック接触を付着させるステップと、
ＩＩＩ族窒化物ではない前記搭載ウエハの材料上に、該活性層を形成するステップと、
レンズを形成するステップと、
蛍光体を形成するステップとを含み、
前記マウント基板の材料は、該蛍光体によって放出された光の実質的な量を反射する、方法。
【請求項２１】
前記活性層によって放出された所定の周波数を有する光のうちの少なくとも５０パーセントを反射する前記搭載ウエハの表面を形成するステップを含んでいる、請求項２０に記載の方法。
【請求項２２】
金属ボンディングシステムを用いることにより、前記ＩＩＩ族窒化物の活性層を前記搭載ウエハにボンディングするステップを含んでいる、請求項２０に記載の方法。
【請求項２３】
前記搭載ウエハが導電性基板であって、前記活性層を該導電性基板にボンディングするステップを含んでおり、前記オーミック接触を付着させるステップは、該活性層に１つのオーミック接触を付着させ、該導電性基板に１つのオーミック接触を付着させるステップを含んでいる、請求項２０に記載の方法。
【請求項２４】
前記搭載ウエハが絶縁基板であって、該絶縁基板上に前記活性層を形成するステップを含んでいる、請求項２０に記載の方法。
【請求項２５】
前記成長基板上に前記活性層を形成するステップは、炭化ケイ素の基板上にＩＩＩ族窒化物のエピタキシャル層を形成するステップを含んでいる、請求項２０に記載の方法。
【請求項２６】
窒化ガリウム、窒化インジウムガリウム、窒化アルミニウムガリウム、およびそれらの組み合わせからなる群から前記活性層を形成するステップを含んでいる、請求項２０に記載の方法。
【請求項２７】
ボンディング金属層を用いることにより、前記ＩＩＩ族窒化物の活性層を前記搭載ウエハにボンディングするステップを含んでおり、該ボンディング金属層は、金、スズ、プラチナ、およびニッケルを含んでいる、請求項２０に記載の方法。
【請求項２８】
前記ＩＩＩ族窒化物の活性層に隣接した前記ボンディング金属層内に反射性のミラー層を含めて、該活性層からの該ミラーに衝突する光を反射することにより、結果として得られた発光ダイオードの外部量子効率を向上させるステップを含んでいる、請求項２０に記載の方法。
【請求項２９】
前記発光ダイオードを重合体のレンズに封じ込めるステップをさらに含んでいる、請求項２０に記載の方法。
【請求項３０】
前記発光ダイオードを、分散された蛍光体を有する重合体のレンズに封じ込めるステップを含んでいる、請求項２７に記載の方法。
【請求項３１】
前記活性層によって放出された所定の周波数を有する光のうちの少なくとも５０パーセントを反射する前記搭載ウエハの表面を形成するステップを含んでいる、請求項２０に記載の方法。
【請求項３２】
金属ボンディングシステムを用いることにより、前記ＩＩＩ族窒化物の活性層を前記搭載ウエハにボンディングするステップを含んでいる、請求項２３に記載の方法。
【請求項３３】
ＩＩＩ族窒化物材料系から形成された発光活性層と、
該ＩＩＩ族窒化物の活性層を支持するボンディング金属層と、
透過性のマウント基板であって、該ボンディング金属層が該発光活性層と該マウント基板との間にあるように該ボンディング金属層を支持する透過性のマウント基板と、
該ボンディング金属層と該発光活性層との間にある第１の反射性表面であって、該活性層によって放出された所定の周波数を有する光の実質的な量を反射する第１の反射性表面と、
該ボンディング金属層と該透過性のマウント基板との間にある第２の反射性表面であって、該透過性のマウント基板内に入った光の実質的な量を外へ反射する第２の反射性表面と、
を備える、発光ダイオード。
【請求項３４】
前記透過性のマウント基板を支持するリードフレームをさらに備え、該リードフレームは、該透過性のマウント基板と該リードフレームとの間にある第３の反射性表面を有する、請求項３３に記載の発光ダイオード。
【請求項３５】
前記第３の反射性表面は、前記リードフレームの上方外側に曲がった部分に伸び、前記第２の反射性表面から前記透過性のマウント基板を透過した光を上方に反射する、請求項３４に記載の発光ダイオード。
【請求項３６】
前記第１の反射性表面、前記第２の反射性表面、前記第３の反射性表面の少なくとも１つは、複数の小さな反射性表面を含んでいる、請求項３３に記載の発光ダイオード。
【請求項３７】
前記透過性のマウント基板はドープされていない、請求項３３に記載の発光ダイオード。